(57)【要約】      （修正有）【課題】  被取付部材用レールが溝から外れないようにする。【解決手段】  溝２１の後面に設けられた突起４０の下面が被取付部材用レール22の後部に形成され凹所４１の下面に当接していて、被取付部材用レール２２に取り付けられた棚２５の荷重により被取付部材用レール２２の上部後端が下部前端を支点として上側に浮き上がろうとするのを防止することが出来るので、被取付部材用レール２２が溝２１から外れるのを防止することが出来る。【選択図】  図２
2005097955.tif 000002
【特許請求の範囲】
【請求項１】
長手方向を左右方向に向けると共に開口を前方に向けた溝を有するパネル本体と、前記溝に嵌められると共に、被取付部材に設けられた嵌合突起が嵌め入れられる嵌合溝を有する被取付部材用レールとを有する壁パネルにおいて、前記溝の後面に突起が形成され、この突起が嵌まる凹所が被取付部材用レールの後部に形成され、前記突起の下面が凹所の下面に直接又は間接に当接している壁パネル。
【請求項２】
長手方向を左右方向に向けると共に開口を前方に向けた溝を有するパネル本体と、前記溝に嵌められると共に、被取付部材に設けられた嵌合突起が嵌め入れられる嵌合溝を有する被取付部材用レールとを有する壁パネルにおいて、前記溝の後面に凹所が形成され、この凹所に嵌まる突起が被取付部材用レールの後部に形成され、前記突起の上面が凹所の上面に直接又は間接に当接している壁パネル。
【発明の詳細な説明】
【技術分野】
【０００１】
本発明は壁パネルに関する。
【背景技術】
【０００２】
従来、この種の壁パネルとして以下の如きものは知られている。
長手方向を左右方向に向けると共に開口を前方に向けた溝を有するパネル本体と、前記溝に嵌められると共に、被取付部材に設けられた嵌合突起が嵌め入れられる嵌合溝を有する被取付部材用レールとを有するものは知られている。
【特許文献１】登録実用新案第３，０７８，６９２号公報
【発明の開示】
【発明が解決しようとする課題】
【０００３】
前記従来の壁パネルには以下の如き欠点があった。
被取付部材用レールが単に溝に嵌められただけのものであったため、被取付部材用レールに取り付けられた被取付部材の荷重により被取付部材用レールの上部後端が下部前端を支点として上側に浮き上がろうとし、その被取付部材用レールに作用する力により溝の上部後端及び下部前端に大きな力が作用して、一般的には木質系素材からなり変形しやすいパネル本体に形成された溝が変形し、その結果、被取付部材用レールが溝内でガタつき被取付部材用レールが溝から抜け出すことがあるという欠点があった。
【課題を解決するための手段】
【０００４】
本発明は前記欠点を解消するために以下の如き手段を採用した。
（１）請求項１の発明は、長手方向を左右方向に向けると共に開口を前方に向けた溝を有するパネル本体と、前記溝に嵌められると共に、被取付部材に設けられた嵌合突起が嵌め入れられる嵌合溝を有する被取付部材用レールとを有する壁パネルにおいて、前記溝の後面に突起が形成され、この突起が嵌まる凹所が被取付部材用レールの後部に形成され、前記突起の下面が凹所の下面に直接又は間接に当接しているものである。
（２）請求項２の発明は、長手方向を左右方向に向けると共に開口を前方に向けた溝を有するパネル本体と、前記溝に嵌められると共に、被取付部材に設けられた嵌合突起が嵌め入れられる嵌合溝を有する被取付部材用レールとを有する壁パネルにおいて、前記溝の後面に凹所が形成され、この凹所に嵌まる突起が被取付部材用レールの後部に形成され、前記突起の上面が凹所の上面に直接又は間接に当接しているものである。
【発明の効果】
【０００５】
本発明は前記した如き構成によって以下の如き効果を奏する。
（１）請求項１の発明によれば、突起の下面が凹所の下面に当接していて、被取付部材用レールに取り付けられた被取付部材の荷重により被取付部材用レールの上部後端が下部前端を支点として上側に浮き上がろうとするのを防止することが出来るので、被取付部材用レールが溝から外れるのを防止することが出来る。
（２）請求項２の発明によれば、突起の上面が凹所の上面に当接していて、被取付部材用レールに取り付けられた被取付部材の荷重により被取付部材用レールの上部後端が下部前端を支点として上側に浮き上がろうとするのを防止することが出来るので、被取付部材用レールが溝から外れるのを防止することが出来る。
【発明を実施するための最良の形態】
【０００６】
以下に本発明の実施の形態を説明する。
なお、この説明において、前とは図１紙面表側を、後とは同裏側をいい、左とは図１左側を、右とは同図右側をいう。
【０００７】
図１〜図７には、部屋１の側壁３に、第１壁パネル８や第２壁パネル９等からなる壁構成部材を施工した状態が示されている。
【０００８】
側壁３に前面形状が矩形の第１壁パネル８及び前面形状が矩形の第２壁パネル９が所望の配置で（施主の希望に応じた配置で）取り付けられている。第１縁材１０が、第１壁パネル８及び第２壁パネル９の群からなる壁体１３の左側縁に当接するようにして側壁３に取り付けられ、また、別の第１縁材１０が壁体１３の下縁に当接するようにして側壁３に取り付けられている。更に、第２縁材１１が壁体１３の右側縁に当接するようにして側壁３に取り付けられると共に別の第２縁材１１が壁体１３の上縁に当接するようにして側壁３に取り付けられている。
【０００９】
第１壁パネル８は、中質繊維板（ＭＤＦ）等の木質系素材で構成されている。また、第１壁パネル８の前面の左右長さが「ｎ×Ｗ」で、上下長さが「ｍ×Ｈ」である。ここで、「Ｗ」・「Ｈ」は基準長さで、「ｎ」・「ｍ」は任意の整数である。本実施の形態では、「Ｗ」と「Ｈ」とは等しく、「ｎ」と「ｍ」とは等しく、「ｎ×Ｗ」は４３ｃｍ前後である。
【００１０】
前記第１壁パネル８の相互に隣接する２辺にさね１６が形成され、第１壁パネル８の残りの２辺にさね１６が嵌まる嵌合凹所１７が形成され、嵌合凹所１７の後部縁に外方に張り出した張出部１８が連設され、前記さね１６の後方に張出部１８が嵌まり込む凹段部１９が形成されている。第１壁パネル８は張出部１８からくぎ（図示略）を側壁３に打ち込むことにより側壁３に固定される。
【００１１】
前記第２壁パネル９は、第１壁パネル８と基本形状を同じくする（後述の溝２１が形成された点を除く。）パネル本体９ａと、このパネル本体９ａに形成された、長手方向を左右方向に向けると共に開口を前方に向けた２本の溝２１に嵌められた、金属製押出型材等からなる被取付部材用レール２２とを有している。
【００１２】
前記被取付部材用レール２２には、その長手方向に沿って、開口を前方に向けた嵌合溝２３が形成されている。この嵌合溝２３の断面形状は、前方に向かって下り傾斜した、下方に凸となる湾曲弧状をしている。
【００１３】
図８に示すごとく、前記溝２１の後面に突起４０が形成され、この突起４０が嵌まる凹所４１が被取付部材用レール２２の後部に形成されている。前記突起４０の下面が凹所４１の下面に当接している。前記突起４０は、溝２１の長手方向に沿う突条であるが、突条でなくてもよい。また、被取付部材用レール２２の上下面には、その長手方向に沿って、複数の抜け止め小突条４２が形成されている。また、溝２１と被取付部材用レール２２との間には接着剤（図示略）が充填されている。
【００１４】
被取付部材用レール２２に取り付けられる棚２５（請求の範囲で云う被取付部材）の基部（後部）に連結具２６が取り付けられ、この連結具２６に、嵌合溝２３に嵌まる嵌合突起２７が設けられている。棚２５の前端を上にするようにして嵌合突起２７を嵌合溝２３に嵌めた後、図２の矢印Ａのように棚２５を水平とする。そうすると、嵌合突起２７は嵌合溝２３に完全に嵌まり、棚２５に自重による図２における反時計方向のモーメントが作用して、棚２５は被取付部材用レール２２に完全固定される。なお、棚２５は所望の被取付部材用レール２２に取り付けることが出来る。
【００１５】
図５及び図６に示すごとく、前記第１縁材１０の長手縁部に、第１壁パネル８又は第２壁パネル９のさね１６が嵌まる嵌合凹所２９及び第１壁パネル８又は第２壁パネル９の凹段部１９に嵌まる張出部３０が形成されている。
【００１６】
図４及び図７に示すごとく、前記第２縁材１１の長手縁部に、第１壁パネル８又は第２壁パネル９の嵌合凹所１７に嵌まるさね３２及び第１壁パネル８又は第２壁パネル９の張出部１８が嵌まる凹段部３３が形成されている。
【００１７】
次に発明の実施の形態の施工方法を説明する。
左側の第１縁材１０及び下側の第１縁材１０を側壁３に取り付ける。
その後、第１壁パネル８及び第２壁パネル９を下の段から順次上の段に向けて側壁３に取り付ける。
その後、右側の第２縁材１１及び上側の第２縁材１１を側壁３に取り付ける。
【００１８】
以下に変形例等について説明を加える。
（１）溝２１の後面に凹所４１を形成し、この凹所４１に嵌まる突起４０を被取付部材用レール２２の後部に形成し、前記突起４０の上面を凹所４１の上面に当接させるようにしてもよい。溝２１と被取付部材用レール２２との間に接着剤を充填した場合、その固化した接着剤層を介して、突起４０の上面が凹所４１の上面に当接するようにしてもよい。
（２）実施の形態において、溝２１と被取付部材用レール２２との間に充填した固化した接着剤層を介して突起４０の下面が凹所４１の下面に当接するようにしてもよい。
（３）被取付部材用レール２２は第２壁パネル９に少なくとも１本あればよい。
（４）第１壁パネル８及び第２壁パネル９の素材は木質系素材に限定されない。
（５）第１縁材１０及び第２縁材１１の素材は木質系素材が一般的であるが、それに限定されない。
（６）第１壁パネル、第２壁パネル、第１縁材及び第２縁材に、さね、嵌合凹所、張出部及び凹段部を設けないこともある。
【図面の簡単な説明】
【００１９】
【図１】本発明の実施の形態を示す簡略正面図である。
【図２】図１のＩＩ−ＩＩ線に沿う中間省略の拡大断面図である。
【図３】図１のＩＩＩ−ＩＩＩ線に沿う中間省略の拡大断面図である。
【図４】図１のＩＶ−ＩＶ線拡大断面図である。
【図５】図１のＶ−Ｖ線拡大断面図である。
【図６】図１のＶＩ−ＶＩ線拡大断面図である。
【図７】図１のＶＩＩ−ＶＩＩ線拡大断面図である。
【図８】図２のＢ部分の拡大図である。
【符号の説明】
【００２０】
９  第２壁パネル
９ａ  パネル本体
２１  溝
２２  被取付部材用レール
２３  嵌合溝
２５  棚（被取付部材）
２７  嵌合突起
４０  突起
４１  凹所
【図１】
2005097955.tif 000003
【図２】
2005097955.tif 000004
【図３】
2005097955.tif 000005
【図４】
2005097955.tif 000006
【図５】
2005097955.tif 000007
【図６】
2005097955.tif 000008
【図７】
2005097955.tif 000009
【図８】
2005097955.tif 000010